(57)【要約】【課題】  貸機Ｋから吐出されるメダルを遊技機Ｐのメダル受皿Ｐ１へシュート２０で送り込む複数組の遊技機Ｐと貸機Ｋからなる遊技設備で、奥行長さが設定された寸法と異なる遊技機Ｐ又は貸機Ｋに交換されても貸機Ｋからメダルを零すことなく遊技機Ｐへ円滑に送れるようにする。【解決手段】  貸機Ｋ内のメダルホッパー１７から送り出されるメダルを受けるシュート２０のメダル受部２１を貸機Ｋ前面に取付けた取付枠体４０に進退自在な進退ケース３０内に首振り可能に取付け、又シュート２０をメダル受部２１の位置で進退ケース３０に起伏自在に軸支し、シュートの傾斜が設定角度であればリミットスイッチ７６が作動して、メダル一個送り装置１６を作動可能としてシュート２０のメダル供給口２２からのメダル零れをなくす。【選択図】図１６
2017029182.tif 000002
【特許請求の範囲】
【請求項１】
メダルを投入すると遊技できる遊技機と、紙幣又は有価カードの使用によってあるいは遊技機からのメダル供給信号によって遊技機のメダル受皿へメダルを供給することができるメダル貸機とを隣接して一組又は複数組配置するとともに、メダル貸機の内部にあるメダルホッパーからメダルを送り出す送り装置のメダル吐出路の前端にあるメダル吐出口から排出されるメダルを基端にあるメダル受部で受けて隣接した遊技機のメダル受皿へ供給する湾曲したシュートを有する遊技設備において、
前記シュートのメダル受部はメダル貸機ケーシングの前面開口部に固設された取付枠体に対して前後方向に進退可能に取付けられて、シュートの先端のメダル供給口の位置が前後に調整でき、しかも前記取付枠体の上部に遊技者がメダルを投入するメダル投入シュートを設け、同メダル投入シュートに投入されたメダルを貸機内に設けた計数ホッパーへ送るメダル通路を取付枠体内に設けたことを特徴とする、遊技設備。
【請求項２】
前記メダル投入シュートは取付枠体に取付けられた湾曲したシュートとは独立して前後に移動可能とし、しかもメダル投入シュートの下方開口は前後移動しても下方のメダル通路と連通できる構造である、請求項１記載の遊技設備。
【請求項３】
貸機の前面の取付枠体に進退ケースを前後方向に進退可能に取付け、シュートの基端の前記メダル受部を同進退ケースの内部の位置で進退ケースに取付け、又貸機の前記メダル吐出口を進退する進退ケースのどの前後位置でも前記進退ケース内のシュートのメダル受部に向けてメダルを吐出できる位置に設け、進退ケースを前後方向に進退することでシュート先端にあるメダル供給口の位置を前後に移動できるようにした、請求項２記載の遊技設備。
【請求項４】
シュートの前記メダル受部が、進退ケースの内部の取付面板に対し、所定の角度範囲内で水平方向に回転可能に取付けられ、シュートがメダル受部まわりに首振り可能とした、請求項３記載の遊技設備。
【請求項５】
シュートのメダル受部が進退ケース内で上下に起伏可能に取付けられた、請求項１〜４いずれか記載の遊技設備。
【請求項６】
シュートの先端部がメダル受皿の上縁に載ってメダルをメダル受皿内へ供給できる状態を示すシュートの起伏角度を感知するセンサーを進退ケース内に設け、同センサーの感知信号で貸機内の送り装置を作動させてメダルの送り出しを可能にする制御手段を備えた、請求項５記載の遊技設備。
【請求項７】
シュートの中間でシュート長さが調整できるシュート伸縮部を有する、請求項１〜６いずれか記載の遊技設備。
【請求項８】
前記シュート伸縮部が所定の長さで保持できる長さ調整手段がある、請求項７記載の遊技設備。
【請求項９】
メダル投入シュートのメダル投入口に開閉自在な蓋を取付けた、請求項１〜８いずれか記載の遊技設備。
【請求項１０】
メダル投入シュートを前後に移動可能とするとともに、メダル投入シュートが後方位置では蓋が開かず且つメダル投入シュートを前方位置となれば蓋を開放できるようにする制動機構を設けた、請求項９記載の遊技設備。
【請求項１１】
メダル投入シュートのメダル投入口の遊技機側に面した口縁に上方に長く延びた縦壁を設けた、請求項１〜１０いずれか記載の遊技設備。
【発明の詳細な説明】
【技術分野】
【０００１】
本発明は、メダルを使用して遊技を楽しめる遊技機と、紙幣・有価カードを使用することで又は遊技機からのメダル供給信号で遊技機で使用するメダルを湾曲したシュートでもって遊技機のメダル受皿へ供給できるようにした貸機とを隣接して１組又は複数組配置した遊技設備での、遊技機と貸機との前後配置位置又は遊技機と貸機の奥行き寸法の違いによって生じるシュートによるメダル供給障害を解消するシュートまわりの技術に関する。
【背景技術】
【０００２】
遊技機の奥行き寸法はその製造メーカー又は製品型式で多少違っていることがある。又、貸機の奥行き寸法も製造メーカー又は製品型式で多少違っていることがある。特許文献１，２で知られているように、貸機は隣接した遊技機のメダル受皿へ貸機のメダルを曲ったシュートで送り込めるようになっている。
そして、この貸機のシュートは特定の遊技機の奥行きと、貸機の奥行きと、その前後配置を考慮して、所定の寸法のシュートが採用されている。
【０００３】
しかしながら、遊技機の製造メーカーが違う製品に交代させた場合、又は貸機をその奥行き寸法が違う貸機に交換する場合、遊技機の受皿と貸機とを結ぶシュートの寸法が短すぎて、図３９，４０の図に示すようにシュートの先端のメダル供給口がメダル受皿に届かなくなることが発生し、貸機による遊技機へのメダル供給ができなくなることが生じていた。又、シュート寸法が長すぎる場合でも同様な問題が生じる。
【０００４】
遊技機と貸機の奥行きの長さ（Ｌｐ，Ｌｋ）又は設置位置差が、設定されたシュート長さｌでは対応できない事態を図３４，３９，４０に示している。図３９（ａ）では、シュート長さｌが適切で、メダルはシュートのメダル供給口からメダル受皿へ確実に移動させることができる。しかしながら、この（ａ）の遊技機を奥行きの長い機種と交換すると、図３９（ｂ）の如くなって、シュートのメダル供給口はメダル受皿まで届かない。又、遊技機の奥行きが短いものではシュートが相対的に長くなって、メダル供給口を適正な位置にできない。その状態を図３４に示している。この状態で貸機からメダルを供給すれば大部分はメダルは設置テーブル・床に落下し、落下したメダルの回収作業が必要となる。
【０００５】
又、図３４は遊技機が奥行きの短い機種と交換した場合、シュートが逆に長くなってシュートのメダル供給口が遊技機の前面に臨んで、シュートのメダル供給口からのメダルが遊技機の前面に滞留して、メダル受皿の他の空間にメダルが移動しにくくなって、メダル受皿からメダルが溢れて落下することとなるという問題が生じる。
この解決方法として、貸機の設置位置を前後して調整することができることもあるが、貸機を前方位置に移動させると後方に空間を生じる。又は、背後又は上方にあるメダル供給ラインと貸機との接続シュートの長短の問題が生じ、接続シュート長さが不足して貸機へメダルを補給できなくなる場合もある。又、貸機を後方にする必要がある場合で、後方には他の物品があって後方へ移動することができない場合があり、この場合は設置位置の移動では問題解決できず、貸機のシュートを別の適切な寸法のシュートに交換する方法が採用される。
この交換作業は、貸機の数が多い遊技店では長時間の作業時間とコストがかかるものであった。
【先行技術文献】
【特許文献】
【０００６】
【特許文献１】特許第５３３６６４２号公報
【特許文献２】特開２００８−２００２５８号公報
【発明の概要】
【発明が解決しようとする課題】
【０００７】
本発明が解決しようとする課題は、交換した遊技機又は貸機の奥行き又は設置位置寸法が予定されている寸法と違いがあっても、シュート先端のメダル供給口が遊技機のメダル受皿の上方に位置できるようにして、メダル供給口から排出されるメダルが設置テーブル・床に落下せずに円滑にメダル受皿へ移動させることにある。これによって、奥行きが予定の寸法より異なった遊技機又は貸機の設置を容易にし、又交換した遊技機又は貸機の設置位置の前後に調整の作業がなくて、使用できるようにする。又は、交換した機体の奥行き寸法に適合した長さのシュートと交換しなくて貸機を使用できるようにすることにある。
【０００８】
次の課題は、シュートの先端部のメダル供給口からメダルが確実にメダル受皿へ移動できるようにして、メダルが床・設置テーブルへ落下してこぼれることがないようにすることにある。
更に、メダル投入シュートから投入されるメダルが、そのメダル投入口から外れて下方の床・棚テーブルへ落下して散乱することを少なくすることにある。
【課題を解決するための手段】
【０００９】
かかる課題を解決した本発明の構成は、
１）  メダルを投入すると遊技できる遊技機と、紙幣又は有価カードの使用によってあるいは遊技機からのメダル供給信号によって遊技機のメダル受皿へメダルを供給することができるメダル貸機とを隣接して一組又は複数組配置するとともに、メダル貸機の内部にあるメダルホッパーからメダルを送り出す送り装置のメダル吐出路の前端にあるメダル吐出口から排出されるメダルを基端にあるメダル受部で受けて隣接した遊技機のメダル受皿へ供給する湾曲したシュートを有する遊技設備において、
前記シュートのメダル受部はメダル貸機ケーシングの前面開口部に固設された取付枠体に対して前後方向に進退可能に取付けられて、シュートの先端のメダル供給口の位置が前後に調整でき、しかも前記取付枠体の上部に遊技者がメダルを投入するメダル投入シュートを設け、同メダル投入シュートに投入されたメダルを貸機内に設けた計数ホッパーへ送るメダル通路を取付枠体内に設けたことを特徴とする、遊技設備
２）  前記メダル投入シュートは取付枠体に取付けられた湾曲したシュートとは独立して前後に移動可能とし、しかもメダル投入シュートの下方開口は前後移動しても下方のメダル通路と連通できる構造である、前記１）記載の遊技設備
３）  貸機の前面の取付枠体に進退ケースを前後方向に進退可能に取付け、シュートの基端の前記メダル受部を同進退ケースの内部の位置で進退ケースに取付け、又貸機の前記メダル吐出口を進退する進退ケースのどの前後位置でも前記進退ケース内のシュートのメダル受部に向けてメダルを吐出できる位置に設け、進退ケースを前後方向に進退することでシュート先端にあるメダル供給口の位置を前後に移動できるようにした、前記２）記載の遊技設備
４）  シュートの前記メダル受部が、進退ケースの内部の取付面板に対し、所定の角度範囲内で水平方向に回転可能に取付けられ、シュートがメダル受部まわりに首振り可能とした、前記３）記載の遊技設備
５）  シュートのメダル受部が進退ケース内で上下に起伏可能に取付けられた、前記１）〜４）いずれか記載の遊技設備
６）  シュートの先端部がメダル受皿の上縁に載ってメダルをメダル受皿内へ供給できる状態を示すシュートの起伏角度を感知するセンサーを進退ケース内に設け、同センサーの感知信号で貸機内の送り装置を作動させてメダルの送り出しを可能にする制御手段を備えた、前記５）記載の遊技設備
７）  シュートの中間でシュート長さが調整できるシュート伸縮部を有する、前記１）〜６）いずれか記載の遊技設備
８）  前記シュート伸縮部が所定の長さで保持できる長さ調整手段がある、前記７）記載の遊技設備
９）  メダル投入シュートのメダル投入口に開閉自在な蓋を取付けた、前記１）〜８）いずれか記載の遊技設備
１０）  メダル投入シュートを前後に移動可能とするとともに、メダル投入シュートが後方位置では蓋が開かず且つメダル投入シュートを前方位置となれば蓋を開放できるようにする制動機構を設けた、前記９）記載の遊技設備
１１）  メダル投入シュートのメダル投入口の遊技機側に面した口縁に上方に長く延びた縦壁を設けた、前記１）〜１０）いずれか記載の遊技設備
にある。
【発明の効果】
【００１０】
本発明では、貸機のシュートはその基端のメダル受部が貸機の前面に対して前後方向に進退可能に取付けられているから、この貸機のシュート長さが予定の隣接した遊技機の奥行き寸法と違う別の奥行き寸法の遊技機に交換されても、シュートを前後に移動させることで交換された遊技機のメダル受皿の位置に貸機のシュート先端のメダル供給口を移動させることができ、奥行き寸法が変更される遊技機又は貸機への交換があっても、及び遊技機・貸機の設置が制限された場合でも貸機からメダル受皿へ問題なくメダルを供給できる。
【００１１】
シュートがメダル受部で水平方向に回転できると、シュートの先端のメダル供給口を前後ばかりでなく左右に移動できることとなり、シュートのメダル供給口を遊技機のメダル受皿上に正確に位置させることができ、供給されたメダルがメダル受皿から外れて床面に落下することがないようにさらに容易にできる。又、遊技機の交換作業時にシュートを回転させて、その交換作業に支障がない位置にできる。
【００１２】
又、前記のシュートのメダル受部の前後移動に加えて、シュートが中間で伸縮自在となってシュート長さを変更できるシュート構造では、遊技機と貸機との奥行き又は各前面間の奥行きの寸法の違いをシュートの長さ調整でもって部分的に解消し、シュートによるメダル供給を更に円滑にする。又、シュート中間の長さの調整によってそのメダル供給口の位置が容易に修正できて、メダル受皿へのメダルの移行が更に円滑にできる。
【００１３】
更に、シュートの受部にシュートの起伏角度からシュートの先端部がメダル受皿の上縁部に載っているか確認するセンサーを設け、同センサーからシュートの先端部がメダル受皿の上縁部に載っていることを確認して、メダルをメダル吐出口から排出させる制御手段を有する場合、より確実にシュートの先端のメダル供給口からのメダルはメダル受皿へ移動し、床・設置テーブル上等へメダルを落下させることがない。
【００１４】
メダル投入シュートが前後に進退するものでは、メダルを投入するときはメダル投入シュートを前方へ引出してメダル投入口の位置が移動すること及びそのメダル投入口の開口面積が拡大することで、手の平にのせたメダルをそのメダル投入口へ容易且つ確実に落下させることができ、外れて床・棚テーブルへこぼれ落ちることが少ない。
【００１５】
特に、メダル投入口の口縁に縦壁を設けたのものでは、手の平のメダルがメダル投入口から外側へ移動して、床・棚テーブルに落下するのを防止する。
【００１６】
加えて、メダル投入口に閉鎖する蓋が開閉自在に取付けたものでは、メダルを投入しないときはこの蓋でメダル投入口を閉鎖でき、ゴミ・タバコ吸殻等のメダル以外の物品の投入を防止できる。
特に、メダル投入口が前方へ移動すると開くようにするする制動機構を有するものでは、メダル投入しないときは常時閉鎖状態にでき、ゴミ・タバコ吸殻等の投入を抑えることができる。
【図面の簡単な説明】
【００１７】
【図１】図１は実施例１を示す斜視図である。
【図２】図２は実施例１の貸機を示す斜視図である。
【図３】図３は実施例１におけるメダルの流れを示す説明図である。
【図４】図４は実施例１の進退ケースとシュートを示す説明図である。
【図５】図５は実施例１の進退ケース及びメダル投入シュートともに後方位置にある場合のメダルの流れを示す説明図である。
【図６】図６は実施例１の進退ケース及びメダル投入シュートともに前方に引出した場合のメダルの流れを示す説明図である。
【図７】図７は実施例１の取付枠体を示す斜視図である。
【図８】図８は実施例１のシュートの首振りの取付構造の説明図である。
【図９】図９は実施例１の取付枠体と後方位置にある進退ケースとの係合状態を示す断面図である。
【図１０】図１０は実施例１の取付枠体と前方位置にある進退ケースとの係合状態を示す断面図である。
【図１１】図１１は実施例１の貸機内のメダル１個送り装置とメダル吐出路とメダル受部までのメダルの流れを示す説明図である。
【図１２】図１２は実施例１のシュートの首振り運動を示す説明図である。
【図１３】図１３は実施例１の進退ケース及びメダル投入シュートがともに後方位置にある状態を示す斜視図である。
【図１４】図１４は実施例１の進退ケースとメダル投入シュートがともに前方位置の状態を示す斜視図である。
【図１５】図１５は実施例１の後方位置にある進退ケースと前方位置にあるメダル投入シュートの状態を示す斜視図である。
【図１６】図１６は実施例１の前方位置にある進退ケースと後方位置にあるメダル投入シュートの状態を示す斜視図である。
【図１７】図１７は実施例１の要部を示す分解斜視図である。
【図１８】図１８は実施例１の後方位置（ａ）と前方位置（ｂ）とを示す説明図である。
【図１９】図１９は実施例１のメダル投入シュートを示す斜視図である。
【図２０】図２０は実施例１のメダル投入シュートを示す一部切欠説明図である。
【図２１】図２１は実施例１の取付枠体を示す説明図である。
【図２２】図２２は実施例１のメダル投入シュート下方のメダル投入シュート支持台とメダル誘導路を示す斜視図である。
【図２３】図２３は実施例１のメダル投入シュート下方のメダル投入シュート支持台とメダル誘導路の一部切欠斜視図である。
【図２４】図２４は実施例１の取付枠体を示す斜視図である。
【図２５】図２５は本発明の起伏できるシュートを備えた実施例２の遊技設備Ｇ２のシュートの起伏構造と起伏角度のリミットスイッチとを示す説明図である。
【図２６】図２６は実施例２の起伏シュートの組立状態を示す斜視図である。
【図２７】図２７は実施例２の起伏シュートの先端部がメダル受皿の上縁に載った状態での傾きとリミットスイッチ作動を示す説明図である。
【図２８】図２８は実施例２の起伏シュートの先端部がメダル受皿の上縁に載らず、下方に向いた状態の傾きとリミットスイッチの状態を示す説明図である。
【図２９】図２９は実施例１のシュートとして伸縮シュートを使用した形態の実施例３の遊技設備Ｇ３のシュートを示す説明図である。
【図３０】図３０は実施例３の伸縮シュートの縮んだ状態を示す説明図である。
【図３１】図３１は実施例３の伸縮シュートの長さを少し伸長した状態を示す説明図である。
【図３２】図３２は実施例３の伸縮シュートの所定長さに保持する保持機構を示す説明図である。
【図３３】図３３は実施例３の伸縮シュートを使用した場合のシュートのメダル供給口とメダル受皿との関係を示す説明図である。
【図３４】図３４は首振りだけの従来装置での状態を示す説明図である。
【図３５】図３５は実施例４の組立状態を示す斜視図である。
【図３６】図３６は蓋と縦壁付メダル投入シュートの実施例４の要部を示す分解斜視図である。
【図３７】図３７は実施例４の蓋開放状態を示す斜視図である。
【図３８】図３８は実施例４のメダル投入シュートと従来の装置の投入シュートとのメダルの投入状態を示す比較説明図である。
【図３９】図３９は従来の遊技機と貸機との奥行きに不整合がある場合のシュート位置を示す説明図である。
【図４０】図４０は遊技機と貸機との奥行き・設置の位置に不整合がある場合のシュートのメダル供給口の位置を示す説明図である。
【発明を実施するための形態】
【００１８】
本発明は、シュートの基端のメダル受部を貸機前面に前後移動できる構造は、実施例１に示すようにメダル受部を取付けた進退ケースに取付け、この進退ケースを貸機前面から前後に所定距離（寸法）進退自在にする構造の他に、シュートの基端部分を長くして貸機内に挿入して、貸機のメダル吐出口からのメダルは基端部の奥にあるメダル受部で受けられるように、貸機内で吐出するメダルをメダル受部へ誘導するガイドを設けて、シュートが前方へ長く引出せるようにする形態のものがある。又は、シュートのメダル受部を挿入方向に長い形状にして、シュートの出入長さにかかわらずメダル吐出口からのメダルをシュートへ移動できるようにしてもよい。いずれも、本発明に含まれるものである。
【００１９】
シュートが前後方向に移動する構造に加えて、シュートの中間を伸縮自在にする構造又は湾曲を変える構造、あるいはシュートのメダル受部で首振り可能にする機構を追加して、シュートのメダル供給口の位置の自在性を高めてもよい。
【００２０】
更に、シュートの先端部がメダル受皿の上縁の正しい位置に載っているのを確認して、シュートからメダルを供給する機能を加えると、間違えてシュートのメダル供給口からのメダルがメダル受皿外の所へ移動してメダルを供給することでメダルが機台の設置テーブル又は床へ落下することを防止できる。そのためシュートが正しい位置か否かをシュートの起伏角度又はメダル受皿とシュートとの接触を感知するセンサー又はスイッチを設けることで、貸機内のメダル一列送り装置を作動又はメダルの送り路の途中のゲートを開閉するようにすることで可能となる。
【００２１】
メダル投入シュートのメダル投入口には開閉自在な蓋を設けることによって、メダル以外なものを投入される恐れが少なくできる。しかも、メダル投入シュートが前方に引き出されるとメダルを投入する場合のみメダル投入口は開放されるので好ましい。更に、メダル投入口の遊技機側口縁を上方に延長して縦壁を形成すると、メダルの投入口の外側へのこぼれ落下を少なくできる。
【実施例】
【００２２】
以下、図１〜３８に示す実施例について図面に基づいて説明する。
【００２３】
図１〜図２４の図面は、本発明の基本形態の実施例１の遊技設備Ｇ１を示すものである。この実施例１の基本形態は、貸機前面に取付枠体を取付け、これに進退ケースを前後方向に移動自在に取付け、同進退ケースの内部にシュートのメダル受部を配置し、メダル受部の中心まわりにシュートが水平に首振りできるようになっている。そして、この取付枠体の上方に遊技者のメダルを貸機に戻して計数するためのメダル投入シュートをシュートとは別に独立して前後方向移動自在に設け、メダル投入シュートのメダルを貸機内にあるメダル計数器へ送り出して、メダル数を計数してその情報を出力できるようにしている例である。
【００２４】
この実施例１でのメダル受部の前後の移動量は５０ｍｍ程としている。
【００２５】
次に、図２５〜図２８に示す実施例２の遊技設備Ｇ２は、前記基本形態の実施例１のシュートをメダル受座の位置で起伏自在とし、シュートの先端部がメダル受皿の上縁に載っているか否かを確認するリミットスイッチを設けている。あらかじめ、シュートの先端部がメダル受皿に載っているシュートの起伏角度を調べて、その起伏角度になればリミットスイッチの信号で開閉器等の制御手段（図示せず）によって、所定個数のメダルをメダル１個毎送り出すメダル一個送り装置を作動させて、貸機内のメダル吐出口からメダルを送り出せるように制御して、しかもメダル投入シュートも前後に引出し可能とした例であり、他の構造・作用効果は実施例１と共通である。
【００２６】
図２９〜図３１の実施例３の遊技設備Ｇ３は、実施例１のシュートの中間部の湾曲位置のシュート部分を伸縮部として、この伸縮部の伸縮の具合でメダル供給口の位置を前後方向及び左右方向に移動できるとともに、メダル供給口のメダル放出方向もこの伸縮部で可能とする他の形態例であり、他の構造・作用効果は実施例１と共通である。
【００２７】
図３５〜３８に示す実施例４の遊技設備Ｇ４は、メダル投入シュートのメダル取入口に蓋を設け、メダル投入シュートが後方位置では蓋は閉じてメダル投入口を閉鎖して、ゴミ・タバコ吸殻等のメダルでない小物品の投入を防ぎ、メダル投入するためメダル投入シュートを前方に引き出すと、蓋を９０°立て起してメダル投入口を開口させることができるようにし、更にメダル投入口の遊技側の口縁の上方に延長して縦壁を形成し、メダルがメダル投入口の外側にこぼれないようにした例である。他は実施例１と同じ構造・作用効果を有する。
【００２８】
（図面の符号の説明）
図中、Ｇ１は図１〜２４に示す実施例１の遊技設備、Ｇ２，Ｇ３，Ｇ４は図２５〜２８，図２９〜３３，図３５〜３８に示す他の形態の実施例２，３，４の遊技設備、Ｐはスロットル機の遊技機、Ｐ１はそのメダル受皿、Ｐ２はメダル投入口、Ｐ３はストッパーボタン、Ｐ４はスロットル表示部、Ｐ５はスロットルレバーである。Ｋは貸機、Ｓは遊技設備全体のメダル供給ライン、Ｍは設備全体のメダル回収ラインである。ｍは使用するメダルである。又、１０は貸機Ｋのケーシング、１１はメダル吐出路、１２はメダル吐出口、１３は紙幣投入口、１４は貸機Ｋ内にあるメダル計数器、１６は貸機Ｋ内のメダルホッパー１７のメダルｍを一個毎メダル吐出口１２へ送り込むメダル一個送り装置、１７はメダルホッパーである。２０はシュート、２１はシュート２０の基端に設けた円形状のメダル受部、２２はシュート２０の先端のメダル供給口、２３はシュート２０のガイド縦壁、２４はシュート２０の湾曲部である。３０は進退ケース、３１は進退ケース３０内部にあるシュート２０のメダル受部２１を取付ける回転受座、３１ａはメダル受部２１の中心に設けた首振り用回転ねじ軸、３２は進退ケースの前面に開口したシュート基端挿入用開口、３３はメダル吐出口１２からのメダルを外部に飛散しないようにメダル受部２１へ移動させる落下メダル受止室、３４は進退ケースの後方に設けたメダル吐出路１１を導入するメダル吐出路挿入用開口である。３５は進退ケース３０の後方上部に設けたケース抜け防止用ストッパー片、３６はケース天井面、３７は落下するメダルを受けて下方へ送る傾斜面底面である。４０は取付枠体、４０ａは取付枠体４０の進退ケース３０の挿入用開口、４０ｂは取付枠体４０のメダル吐出路挿入用背面開口、４０ｃは取付ねじ、４０ｄは枠体、４０ｅは傾斜面、４０ｆは取付枠体４０に設けた縦壁４１ｅの通過のためのスリット、４０ｇはメダル投入シュート支持台、４０ｈはメダル投入シュート支持台に設けた傾斜面、４１は取付枠体４０の上方に設けたメダル投入シュート、４１ａはそのメダル投入口、４１ｂはメダル案内傾斜板、４１ｅはメダル投入口４１ａの遊技機Ｐ側の口縁を上方に延ばした縦壁、４２はメダル投入シュート４１の抜け防止用ストッパー片、４３は投入されたメダルのメダル誘導路、４４は蓋、４４ａは蓋４４の蓋回転軸、４４ｂは軸受孔、４４ｃは軸受溝、４４ｄは摘み片、５０は遊技機Ｐ，貸機Ｋを設置する設置テーブル、５１は遊技者の為の椅子、７０はシュート起伏機構、７１は回転受座板、７２は回転ねじ軸、７３は水平軸、７４は軸支部、７６はリミットスイッチ、８０は伸縮部、８１は細身シュート部、８２は先端筒ケース、８３はボール、８４はスプリング、８５はボール受溝、８６はスプリング筒、８７は固定ねじである。
【００２９】
（実施例１）
図１〜２４に示す実施例１の遊技設備Ｇ１は、本発明の基本的な形態の実施例である。実施例１のシュート２０の基端部は進退ケース３０に首振り自在に取付けられ、しかも貸機Ｋの前面に固設した取付枠体４０に対し、前後方向に５０ｍｍ程移動可能に取付けられ、しかも遊技者保有のメダルｍを貸機Ｋへ戻して計算させるためのメダル投入シュート４１を取付枠体４０に前後方向に進退ケース３０とは独立して進退可能にしている。しかも、シュート２０の回転中心は、メダル受部２１の中心と回転受座３１とを連結した回転ねじ軸３１ａまわりである。
【００３０】
先端部分が湾曲したシュート２０は、その基端のメダル受部２１は箱型の進退ケース３０内の前方にある回転受座３１上に回転ねじ軸３１ａで回転自在に取付けられ、シュートの首振りを可能にしている。進退ケース３０は貸機Ｋの前面に固設した取付枠体４０前面の挿入用開口４０ａから挿入され、後方に設けたストッパー片３５が取付枠体４０の内部部材に当って、これ以上の前方への移動を制止している（図６参照）。
【００３１】
（メダルの流れ）
貸機Ｋ内のメダルホッパー１７のメダルは、メダル一個送り装置１６によって、図１１に示すメダル吐出路１１へメダルを一列で必要個数送り出す。メダル吐出路１１は取付枠体４０の背面開口４０ｂから取付枠体４０内に張り出していて、更に進退ケース３０の後方に開口しているメダル吐出路挿入用開口３４を介して、落下メダル受止室３３まで延びて、そのメダル吐出口１２からのメダルｍを落下メダル受止室３３に取付けたシュート２０のメダル受部２１へ落下し、シュート２０へ排出される（図５，６，７，９，１０，１１の図面参照）。尚、貸機Ｋのメダルホッパー１７はメダル供給ラインＳからメダルが補給されている。
【００３２】
ここで、進退ケース３０を手前へ移動させても、図６に示すようにメダル吐出口１２からのメダルｍは進退ケース３０の内部の傾斜面３７からメダル受部２１の上へ移動して、シュート２０内へ送られ、その先端のメダル供給口２２から遊技機Ｐのメダル受皿Ｐ１へ移動する（図１，２，３，４，５，６参照）。
【００３３】
（シュートの首振り）
遊技機Ｐを使用中は、シュート２０は図１の如くシュート２０の先端部はメダル受皿Ｐ１の上縁に載った状態で接触して、メダルｍをそのメダル吐出口１２から送り出している。シュート２０は使用状態では図９，１０，１１の如く、前方へまっすぐ突出した状態である。
【００３４】
次に、遊技機Ｐを別の装置に交換する場合は、シュート２０をそのメダル受部２１を取付けているその中心にある回転ねじ軸３１ａまわりに図１２の如く回転させれば、シュート２０は首振って遊技機Ｐの交換作業に支障のないその外側の位置にできる。
次に、シュート２０の首振りは遊技機Ｐ又は貸機Ｋの奥行き寸法の違いの為、シュート２０の長さが長過ぎて遊技機Ｐ前面より出過ぎの場合は、シュート２０を首振りさせてシュート２０のメダル吐出口１２を後方に移動させてメダル受皿Ｐ１上に置くようにできる。このように、シュート２０の首振りは位置の微調整にも有効となる。
【００３５】
（メダル投入シュートについて）
更に、実施例１では取付枠体４０の上部にメダル投入シュート４１を前後方向に移動可能に取付けている（図５，６参照）。
遊技者が精算する場合又はメダルが多くなり過ぎた場合、メダル受皿Ｐ１又はメダル容器内のメダルを貸機Ｋに戻してメダル数を計算させたい場合、貸機Ｋのメダル投入シュート４１にこれらメダルを投入する。
メダルｍはメダル投入口４１ａからメダル案内傾斜板４１ｂで下方へ案内して、取付枠体４０，進退ケース３０の壁面で形成されるメダル誘導路４３を経て、貸機Ｋ内のメダル計数器１４に送られて、投入されたメダル数を計測して表示され、メダル計算情報として使用される。貸機Ｋのメダル計測情報処理・表示器は周知であるので省略している。
【００３６】
そして、メダル投入シュート４１が前後に移動しても、投入されたメダルｍはメダル案内傾斜板４１ｂ，傾斜面４０ｅを経てメダル誘導路４３を経て、メダル計数器１４へ送られる。メダル投入シュート４１を前方に引出すのは、投入するメダル数が多くなった場合、メダルの投入洩れで床・設置テーブル等へ落下しないように開口を拡大し且つ開口を手前にすることにある。
【００３７】
このように、実施例１ではシュート２０は前後に移動でき、しかも首振りもできることで、奥行きＬｐが長い遊技機Ｐに交換されても図３９の如く（ｂ）の状態にならず、図３９（ａ）状態と同じ図１８（ａ），（ｂ）の状態で図１の正規のシュート位置にすることができる。
しかも、メダル投入シュート４１も前後に出入れできるので、メダル投入口４１ａは前方に拡がってくるので、メダルの投入洩れ、投入時のメダルの床・設置テーブル５０等への落下がないようにできる。
【００３８】
（シュートの起伏の実施例２）
実施例１において、シュート２０を起伏自在にできる形態の実施例２である遊技設備Ｇ２のシュート起伏機構７０を図２５〜２８に示している。
実施例１の進退ケース３０と一体的な回転受座３１に代えて、進退ケース３０とは別部材でシュート２０のメダル受部２１を回転自在に支持する回転受座板７１を設け、同回転受座板７１の中心にある回転ねじ軸７２でメダル受部２１を回転自在とし、しかも同回転受座板７１の裏面に水平軸７３の軸支部７４を設け、同水平軸７３を進退ケース３０の底面に固設した左右一対の軸支片（図示せず）で水平軸７３を支えて、シュート２０を水平軸７３まわりに回転させて前後方向に起伏自在としている。
更に、シュート２０の先端部が正しい位置でメダル受皿Ｐ１の上縁に載っているか否かをシュート２０の基端部での起伏角度で感知して作動するリミットスイッチ７６を設けている。そして、同リミットスイッチ７６のＯＮ信号でメダル一個送り装置１６を作動可能にさせるようになっている。
【００３９】
この実施形態の実施例２では、シュート２０の先端部がメダル受皿Ｐ１の上縁に載って、そのメダル供給口１２からメダルｍが正しくメダル受皿Ｐ１内へ排出できるシュート２０の起伏角度範囲にあれば、図２７に示すようにリミットスイッチ７６がＯＮとなって、メダル一個送り装置１６が作動でき、メダルをメダル吐出路１１へ送り出すことができる。
そして、シュート２０の先端部が正しくメダル受皿Ｐ１に載っていなくシュート２０が下方に垂れていれば、図２８に示すようにリミットスイッチ７６は作動せず、メダル一個送り装置１６も作動せず、シュート２０からメダルが送られず、メダルが床・設置テーブル５０上に落下することがない。他の構造・作用効果は実施例１と同様である。
【００４０】
（シュートの伸縮の実施例３）
図２９〜３３は、実施例１におけるシュートが伸縮部８０を有して、シュート２０の長さが可変の形態の実施例３の遊技設備Ｇ３の例である。
図２９に示すように、実施例１のシュート２０に中間において、シュート２０の左右のガイド縦壁２３の厚みを薄くした細身シュート部８１を形成し、同細身シュート部８１に先端筒ケース８２を嵌装する。同先端筒ケース８２を細身シュート部８１に嵌装し、その嵌装して重なった部分が全部分か細身シュート部８１の先端部のみかによって、シュート２０の全体の長さが調整できる。
【００４１】
そして、先端筒ケース８２にはボール８３を細身シュート部８１の薄いガイド縦壁２３に押し付けるスプリング８４が小さなスプリング筒８６で封止され、ボール８３を細身シュート部８１へ加圧することで、先端筒ケース８２の摺動の抵抗を与え、脱落を少なくしている。そして、細身シュート部８１の摺動面（嵌合面）には、浅い溝のボール受溝８５を複数設けて、ボール８３がこのボール受溝８５に係合することで、先端筒ケース８２の嵌合位置をロックできるようにしている。最適のシュート長さが決まれば、固定ねじ８７で強く固定できる。
【００４２】
このように、シュート２０の長さが可変にできることで、シュート２０の前後の長さを調整できるとともに、シュート２０のメダル吐出口１２を図３３の如く、シュート２０の先端部（先端筒ケース８２）をメダル受皿Ｐ１の上縁に載せることができるとともに、先端筒ケース８２の先端のメダル供給口２２と遊技機Ｐの前壁面との間隔を好ましい長さにできる。この間隔が短いと、図３４に示すようにメダル供給口２２から排出するメダルが遊技機Ｐの前面壁とすぐ当って、メダル供給口２２の付近でメダルが滞留してメダルの供給ができなくなったり、メダルがこの滞留メダルによってメダル受皿Ｐ１外の床・設置テーブル５０へ落下することが少なくできる（図３４参照）。他の構造・作用効果は、実施例１と同様である。
【００４３】
尚、実施例１にシュート起伏機構７０又はシュート２０の伸縮部の組み合せの構造とすることもできる。
【００４４】
（メダル投入口の蓋と縦壁の実施例４）
図３５〜３８に示す実施例４の遊技設備Ｇ４は、実施例１のメダル投入シュートのメダル投入口４１ａに開閉自在な蓋４４を取付け、しかもメダル投入シュート４１が後方位置であれば蓋４４は開放されず、メダル投入口４１ａを閉鎖し、メダル投入シュート４１が前方位置に引き出されると蓋４４を開放できる制動機構を有し、しかもメダル投入口４１ａの遊技機側の口縁の辺に上方に長く立上った縦壁４１ｅを設け、投入するメダルがメダル投入口４１ａ上からメダル投入口内に落下せず外周に零れて床やテーブルの上に落下散逸するのを抑える例であり、又メダル投入口４１ａは常時閉鎖して、ゴミ・タバコ吸殻等の投入を少なくしている。
他の構成・作用効果及び符号は実施例１と同様である。
【００４５】
図中、４４はメダル投入口４１ａを閉鎖できる開閉自在な蓋、４４ａは蓋４４の後端左右に設けた蓋回転軸、４４ｂはメダル投入シュート４１に設けた回転軸４４ａの軸受孔、４４ｃは回転軸４４ａの他方をメダル投入シュート４１の側面に軸支できるようにするための挿入案内兼用の軸受溝、４４ｄは蓋４４の前方に設けた摘み片である。４１ｅはメダル投入シュート４１の遊技機Ｐ側の口縁辺を上方に延ばして形成した縦壁、４０ｆは取付枠体に設けた前記縦壁４１ｅが前後に移動できるようにするスリットである。
【００４６】
この蓋４４は蓋回転軸４４ａまわりに開閉できる。同蓋を水平にすると、蓋４４はメダル投入口４１ａの口縁上に載って、メダル投入口４１ａは蓋４４によってその開口は閉鎖される。
このままメダル投入シュート４１を後方へ移動されると、蓋４４の立ち上りは取付枠体４０の上方開口縁又は貸機ケーシング１０の上方開口縁に当って制限され蓋４４は閉鎖状態となり、メダル投入口４１ａから物品を投入できないようになる。これによって、遊技者によるゴミ・タバコ吸殻・紙片等の投入を抑えることができる。
そして、メダル投入シュート４１を前方に引き出す。蓋回転軸４４ａが前記の開口口縁の前方となることで、摘み片４４ｄを摘んで上方に蓋４４を起せば、蓋４４は蓋回転軸４４ａまわりに９０°回転して、貸機Ｋの前面にたてかけることで、メダル投入口４１ａは全面的に開放される。これによって、メダルの投入を可能にしている。
【００４７】
しかも、メダル投入シュート４１を前方に引き出せば、メダル投入口４１ａは開くことができるとともに、縦壁４１ｅがあるので手に持ったメダルをメダル投入口４１ａに向けて落下させる際、メダル投入口４１ａを超えて遊技機Ｐ側へメダルが放出しても縦壁４１ｅに当ってメダルは内側のメダル投入口４１ａに確実に落下し、床・テーブルに落下するメダルを少なく抑えることができる。図３８に実施例４と従来のもの又は実施例１のものとのメダル落下の状態を比較している。
【００４８】
他の実施例４の構造・動作・作用効果は実施例１と同様である。尚、実施例１及び実施例２〜４の他の形態の構造と組み合せることができる。
又、本発明は前記実施例１，２，３，４の構成を組み合せることも本発明に含まれるものである。
【産業上の利用可能性】
【００４９】
本発明は、スロットル機の遊技機ばかりでなく、パチンコ遊技機にも適用可能である。
【符号の説明】
【００５０】
Ｇ１，Ｇ２，Ｇ３，Ｇ４    実施例の遊技設備
Ｓ    メダル供給ライン
Ｍ    メダル回収ライン
Ｐ    遊技機（スロットル機）
Ｐ１    メダル受皿
Ｐ２    メダル投入口
Ｐ３    ストッパーボタン
Ｐ４    スロットル表示部
Ｐ５    スロットルレバー
Ｋ    貸機
Ｌｐ    遊技機の奥行長
Ｌｋ    貸機の奥行長
１０    貸機ケーシング
１１    メダル吐出路
１２    メダル吐出口
１３    紙幣投入口
１４    メダル計数器
１６    メダル一個送り装置
１７    メダルホッパー
２０    シュート
２１    シュートのメダル受部
２２    シュート先端のメダル供給口
２３    シュートのガイド縦壁
２４    シュートの先端部分の湾曲部
３０    進退ケース
３１    メダル受部の回転受座
３１ａ    回転受座の回転ねじ軸
３２    シュート基端挿入用開口
３３    落下メダル受止室
３４    メダル吐出路挿入用開口
３５    ストッパー片
３６    ケース天井面
３７    傾斜面
４０    取付枠体
４０ａ    挿入用開口
４０ｂ    背面開口
４０ｃ    取付ねじ
４０ｄ    枠体底面
４０ｅ    傾斜面
４０ｆ    スリット
４０ｇ    メダル投入シュート支持台
４０ｈ    傾斜面
４１    メダル投入シュート
４１ａ    メダル投入口
４１ｂ    メダル案内傾斜板
４１ｅ    縦壁
４２    ストッパー片
４３    メダル誘導路
４４    蓋
４４ａ    蓋回転軸
４４ｂ    軸受孔
４４ｃ    軸受溝
４４ｄ    摘み片
５０    設置テーブル
５１    椅子
７０    シュート起伏機構
７１    回転受座板
７２    回転ねじ軸
７３    水平軸
７４    軸支部
７６    リミットスイッチ
８０    伸縮部
８１    細身シュート部
８２    先端筒ケース
８３    ボール
８４    スプリング
８５    ボール受溝
８６    スプリング筒
８７    固定ねじ
【図１】
2017029182.tif 000003
【図２】
2017029182.tif 000004
【図３】
2017029182.tif 000005
【図４】
2017029182.tif 000006
【図５】
2017029182.tif 000007
【図６】
2017029182.tif 000008
【図７】
2017029182.tif 000009
【図８】
2017029182.tif 000010
【図９】
2017029182.tif 000011
【図１０】
2017029182.tif 000012
【図１１】
2017029182.tif 000013
【図１２】
2017029182.tif 000014
【図１３】
2017029182.tif 000015
【図１４】
2017029182.tif 000016
【図１５】
2017029182.tif 000017
【図１６】
2017029182.tif 000018
【図１７】
2017029182.tif 000019
【図１８】
2017029182.tif 000020
【図１９】
2017029182.tif 000021
【図２０】
2017029182.tif 000022
【図２１】
2017029182.tif 000023
【図２２】
2017029182.tif 000024
【図２３】
2017029182.tif 000025
【図２４】
2017029182.tif 000026
【図２５】
2017029182.tif 000027
【図２６】
2017029182.tif 000028
【図２７】
2017029182.tif 000029
【図２８】
2017029182.tif 000030
【図２９】
2017029182.tif 000031
【図３０】
2017029182.tif 000032
【図３１】
2017029182.tif 000033
【図３２】
2017029182.tif 000034
【図３３】
2017029182.tif 000035
【図３４】
2017029182.tif 000036
【図３５】
2017029182.tif 000037
【図３６】
2017029182.tif 000038
【図３７】
2017029182.tif 000039
【図３８】
2017029182.tif 000040
【図３９】
2017029182.tif 000041
【図４０】
2017029182.tif 000042
【手続補正書】
【提出日】平成27年7月31日(2015.7.31)
【手続補正１】
【補正対象書類名】図面
【補正対象項目名】図２０
【補正方法】変更
【補正の内容】
【図２０】
2017029182.tif 000043